(57)【特許請求の範囲】
【請求項１】
通信装置に装着して用いられることが可能な撮像ユニットであって、
撮像手段と、
前記通信装置と無線で通信する通信手段と、
前記撮像手段による撮像及び前記通信手段によるデータの通信が可能な稼働状態であり、かつ前記撮像ユニットが前記通信装置に装着された状態において、第１の操作が行われたと判断された場合、前記通信手段による前記通信装置との通信を維持し、かつ前記稼働状態よりも消費電力の少ない低消費電力状態に遷移する遷移手段と、を備えることを特徴とする撮像ユニット。
【請求項２】
前記低消費電力状態では前記撮像手段による撮像ができないことを特徴とする請求項１に記載の撮像ユニット。
【請求項３】
前記低消費電力状態における前記通信手段の消費電力は、前記稼働状態における前記通信手段の消費電力より小さいことを特徴とする請求項１又は２に記載の撮像ユニット。
【請求項４】
前記遷移手段は、前記低消費電力状態であって第２の操作が行われたと判断された場合、前記稼働状態に遷移することを特徴とする請求項１乃至３のいずれか１項に記載の撮像ユニット。
【請求項５】
前記遷移手段は、前記稼働状態であって第３の操作が行われたと判断された場合、前記撮像手段による撮像及び前記通信手段によるデータの通信ができない停止状態に遷移し、前記低消費電力状態であって第４の操作が行われたと判断された場合、前記停止状態に遷移することを特徴とする請求項４に記載の撮像ユニット。
【請求項６】
前記撮像ユニットは、前記第１から第４の操作が可能な操作手段をさらに備えることを特徴とする請求項５に記載の撮像ユニット。
【請求項７】
前記第１の操作及び前記第２の操作は同じ操作であり、前記第３の操作及び前記第４の操作は同じ操作であることを特徴とする請求項６に記載の撮像ユニット。
【請求項８】
前記撮像ユニットは、前記通信装置との装着状態を検知する検知手段をさらに備えることを特徴とする請求項１乃至７のいずれか１項に記載の撮像ユニット。
【請求項９】
前記検知手段は、前記通信装置との接触を検知できる機械的なスイッチ、又は、前記通信装置との通信によって、前記撮像ユニットの前記通信装置との装着状態を検知することを特徴とする請求項８に記載の撮像ユニット。
【請求項１０】
撮像手段及び第１通信手段を有する撮像ユニットに装着して用いられることが可能な通信装置であって、
操作手段と、
前記撮像ユニットが前記撮像手段による撮像及び前記第１通信手段によるデータの通信が可能な稼働状態であり、かつ前記撮像ユニットが前記通信装置に装着された状態において、前記操作手段による操作が行われたとき、前記撮像ユニットを、前記第１通信手段による前記通信装置との通信を維持し、かつ前記稼働状態よりも消費電力の少ない低消費電力状態に遷移させるという判定をする判定手段と、
前記判定手段の判定を前記撮像ユニットに送信する第２通信手段と、を備えることを特徴とする通信装置。
【請求項１１】
通信装置と、前記通信装置と通信する通信手段及び撮像手段を有する撮像ユニットと、を備える撮像システムであって、
操作手段と、
前記撮像ユニットと前記通信装置との装着状態を検知する検知手段と、
前記撮像ユニットが前記撮像手段による撮像及び前記通信手段によるデータの通信が可能な稼働状態であり、かつ前記撮像ユニットが前記通信装置に装着された状態において、前記操作手段による操作が行われたとき、前記撮像ユニットを、前記通信手段による前記通信装置との通信を維持し、かつ前記稼働状態よりも消費電力の少ない低消費電力状態に遷移させるという判定をする判定手段と、
前記判定手段の判定に従って低消費電力状態に遷移する遷移手段と、を備えることを特徴とする撮像システム。
【請求項１２】
通信装置に装着して用いられることが可能であり、前記通信装置と無線で通信する通信手段と、撮像手段とを備える撮像ユニットの制御方法であって、
前記撮像手段による撮像及び前記通信手段によるデータの通信が可能な稼働状態であり、かつ前記撮像ユニットが前記通信装置に装着された状態において、所定の操作が行われたと判断された場合、前記通信手段による前記通信装置との通信を維持し、かつ前記稼働状態よりも消費電力の少ない低消費電力状態に遷移するステップを備えることを特徴とする撮像ユニットの制御方法。
【請求項１３】
撮像手段及び通信手段を有する撮像ユニットに装着して用いられることが可能であり、操作手段を備える通信装置の制御方法であって、
前記撮像ユニットが前記撮像手段による撮像及び前記通信手段によるデータの通信が可能な稼働状態であり、かつ前記撮像ユニットが前記通信装置に装着された状態において、前記操作手段による操作が行われたとき、前記撮像ユニットを、前記通信手段による前記通信装置との通信を維持し、かつ前記稼働状態よりも消費電力の少ない低消費電力状態に遷移させるという判定をするステップと、
前記判定を前記撮像ユニットに送信するステップと、を備えることを特徴とする通信装置の制御方法。
【請求項１４】
コンピュータを、請求項１乃至９のいずれか１項に記載の撮像ユニットとして機能させるためのプログラム。
【請求項１５】
コンピュータを、請求項１０に記載の通信装置として機能させるためのプログラム。
【発明の詳細な説明】
【技術分野】
【０００１】
本発明は、撮像ユニット、通信装置、撮像システム、撮像ユニットの制御方法及びプログラム並びに通信装置の制御方法及びプログラムに関する。
【背景技術】
【０００２】
本体部と撮像部とを分離できるデジタルカメラが知られている。このようなデジタルカメラの例として、特許文献１のデジタルカメラを説明する。特許文献１のデジタルカメラは、本体部と撮像部とを備える。撮像部は本体部から分離でき、撮像部が本体部から分離したときに、撮像部と本体部とは無線通信を行う。そして、ユーザが本体部を操作することで、撮像部が本体部から分離した状態での撮影ができる。
また、現在、携帯電話内臓カメラの高機能化が著しい一方で、より高画質な画像を携帯電話で利用したいという要求も高まっており、撮像機能に特化したデジタルカメラ（以下、撮像ユニットと呼ぶ）が登場している。この撮像ユニットは、携帯電話等の通信装置への装着が可能であり、通信装置と無線で通信する。ユーザは、撮像ユニットが装着された通信装置を操作して撮影でき、あたかも通信装置のカメラを高性能なレンズに交換したかのような使用感が得られる。
【先行技術文献】
【特許文献】
【０００３】
【特許文献１】特開２００４−２０１０７３号公報
【発明の概要】
【発明が解決しようとする課題】
【０００４】
しかしながら、特許文献１のデジタルカメラは、消費電力を抑えるために電源が切られると、本体部と撮像部との通信が切れる。同様に、上述の撮像ユニットの電源が切られると、撮像ユニットと通信装置との通信が切れる。一方で、通信の確立には一定の時間がかかる。このため、ユーザは、デジタルカメラや撮像ユニットの電源を入れてから通信が確立して撮影が可能になるまで、所定の時間待つ必要がある。このことから、ユーザは、デジタルカメラや撮像ユニットの電源を一旦切ると、撮影の機会を逃す可能性がある。
【０００５】
そこで、本発明は、撮像ユニットの消費電力を抑えた上で、撮像ユニットと通信装置との通信を維持可能にして、撮影の機会を逃さないようにすることを目的とする。
【課題を解決するための手段】
【０００６】
本発明は、通信装置に装着して用いられることが可能な撮像ユニットであって、撮像手段と、前記通信装置と無線で通信する通信手段と、前記撮像手段による撮像及び前記通信手段によるデータの通信が可能な稼働状態であり、かつ前記撮像ユニットが前記通信装置に装着された状態において、第１の操作が行われたと判断された場合、前記通信手段による前記通信装置との通信を維持し、かつ前記稼働状態よりも消費電力の少ない低消費電力状態に遷移させる遷移手段と、を備える。
【発明の効果】
【０００７】
本発明によれば、撮像ユニットは、通信手段が前記通信装置との通信を維持し、かつ前記稼働状態よりも消費電力の少ない低消費電力状態をもつ。したがって、撮像ユニットの消費電力を抑えた上で、撮像ユニットと通信装置との通信を維持可能にして、撮影の機会を逃さないようにできる。
【図面の簡単な説明】
【０００８】
【図１】デジタルカメラの構成を示すブロック図である。
【図２】携帯電話の構成を示すブロック図である。
【図３】デジタルカメラ及び携帯電話のユースケースを示す図であり、（ａ）はデジタルカメラが携帯電話に装着されていない状態でのユースケースを示す図、（ｂ）はデジタルカメラを携帯電話に装着した状態でのユースケースを示す図、（ｃ）はデジタルカメラがバッグに入れられるユースケースを示す図、（ｄ）はデジタルカメラをバッグから取り出して使用するユースケースを示す図である。
【図４】デジタルカメラを携帯電話へ装着する際の断面図である。
【図５】第１実施形態におけるデジタルカメラの動作状態の遷移図である。
【図６】電源ボタンが押下又は長押しされた時点からの、第１実施形態におけるデジタルカメラの動作を示すフローチャートである。
【図７】装着済状態であり動作状態がスリープ状態に遷移した時点からの第１実施形態におけるデジタルカメラの動作を示すフローチャートである。
【図８】第２実施形態における携帯電話の画面の例を示す図であり、（ａ）はカメラアプリケーション操作画面の例の図、（ｂ）は所定のメッセージが表示された画面の例の図である。
【図９】第２実施形態における携帯電話の電源アイコンがタップ又は長タップされた時点からの携帯電話の動作を示すフローチャートである。
【発明を実施するための形態】
【０００９】
以下、添付図面を参照して、本発明の好適な実施形態について説明する。
＜第１実施形態＞
（デジタルカメラ１００の構成）
第１実施形態のデジタルカメラ１００及び携帯電話２００について以下に説明する。
まず、デジタルカメラ１００を構成する各部について、図１を参照して説明する。図１はデジタルカメラ１００の構成を示すブロック図である。なお、デジタルカメラ１００は撮像ユニットの一例である。
撮像レンズ１０２は、ズームレンズ、フォーカスレンズを含むレンズ群である。
シャッター１０３は、絞り機能を備えるシャッターである。
撮像部１０４は、光学像を電気信号に変換する撮像素子であり、ＣＣＤやＣＭＯＳ素子等で構成される。
Ａ／Ｄ変換器１０５は、アナログ信号をデジタル信号に変換する。Ａ／Ｄ変換器１０５は、撮像部１０４から出力されるアナログ信号をデジタル信号に変換するために用いられる。
バリア１０１は、撮像レンズ１０２、シャッター１０３及び撮像部１０４を含む撮像系を覆うことにより、この撮像系の汚れや破損を防止する。
【００１０】
画像処理部１１１は、Ａ／Ｄ変換器１０５からのデータ、又は、メモリ制御部１０８からのデータに対し所定の画素補間、縮小といったリサイズ処理や色変換処理を行う。また、画像処理部１１１では、撮像した画像データを用いて所定の演算処理が行われ、得られた演算結果に基づいてシステム制御部１２１が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部１１１では更に、撮像した画像データを用いて所定の演算処理を行い、得られた演算結果に基づいてＴＴＬ方式のＡＷＢ（オートホワイトバランス）処理を行う。
Ａ／Ｄ変換器１０５からの出力データは、画像処理部１１１及びメモリ制御部１０８を介して、又は、メモリ制御部１０８を介してメモリ１０９に直接書き込まれる。メモリ１０９は、撮像部１０４によって得られ、Ａ／Ｄ変換器１０５によりデジタルデータに変換された画像データを格納する。メモリ１０９は、所定枚数の静止画像、所定時間の動画像及び音声を格納するのに十分な記憶容量を備えている。
【００１１】
不揮発性メモリ１２４は、電気的に消去及び記録が可能なメモリであり、例えばＥＥＰＲＯＭが用いられる。不揮発性メモリ１２４には、システム制御部１２１の動作用の定数、プログラム等が記憶される。ここでいうプログラムには、本実施形態にて後述する各種フローチャートを実行するためのプログラムが含まれる。
システム制御部１２１は、デジタルカメラ１００全体を制御する。上述した不揮発性メモリ１２４に記録されたプログラムを実行することで、後述する本実施形態の各処理を実現する。また、システム制御部１２１はメモリ１０９、Ｄ／Ａ変換器１０６を制御することにより表示制御等を行う。
システムメモリ１２３には、ＲＡＭが用いられる。システムメモリ１２３には、システム制御部１２１の動作用の定数、変数、不揮発性メモリ１２４から読み出したプログラム等が展開される。
システムタイマー１２２は、内蔵された時計を参照して各種制御に用いる時間等を計測する計時部である。
【００１２】
モード切替スイッチ１１５、シャッターボタン１１４、第１シャッタースイッチ１１９、第２シャッタースイッチ１２０、操作部１１３、電源スイッチ１１６はシステム制御部１２１に各種の動作指示を入力するための操作手段である。
モード切替スイッチ１１５は、システム制御部１２１の動作モードを静止画記録モード又は動画記録モード等のいずれかに切り替えるためのスイッチである。静止画記録モードに含まれるモードとして、オート撮像モード、オートシーン判別モード、マニュアルモード、撮像シーン別の撮像設定となる各種シーンモード、プログラムＡＥモード及びカスタムモード等がある。モード切替スイッチ１１５で、静止画撮像モードに含まれるこれらのモードのいずれかに直接切り替えられる。なお、モード切替スイッチ１１５で静止画撮像モードに一旦切り換えた後に、静止画撮像モードに含まれるこれらのモードのいずれかに、他の操作部材を用いて切り替えができるようにしてもよい。同様に、動画撮像モードにも複数のモードが含まれていてもよい。
第１シャッタースイッチ１１９は、デジタルカメラ１００に設けられたシャッターボタン１１４の操作途中、いわゆる半押し（撮像準備指示）でＯＮとなり第１シャッタースイッチ信号ＳＷ１を発生する。システム制御部１２１は、第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
第２シャッタースイッチ１２０は、シャッターボタン１１４の操作完了、いわゆる全押し（撮像指示）でＯＮとなり、第２シャッタースイッチ信号ＳＷ２を発生する。システム制御部１２１は、第２シャッタースイッチ信号ＳＷ２により、撮像部１０４からの信号読み出しから記録媒体１２８に画像データを書き込むまでの一連の撮像処理の動作を開始する。
操作部１１３の各操作部材は、表示部１０７に表示される種々の機能アイコンを選択操作すること等により場面ごとに適宜機能が割り当てられ、各種機能ボタンとして作用する。機能ボタンとしては、例えば終了ボタン、戻るボタン、属性変更ボタン等がある。例えば、メニューボタンが押されると各種の設定可能なメニュー画面が表示部１０７に表示される。ユーザは、表示部１０７に表示されたメニュー画面と、上下左右の４方向ボタンやＳＥＴボタンとを用いて直感的に各種設定を行うことができる。
【００１３】
電源制御部１１７は、電池検出回路、ＤＣ−ＤＣコンバータ、及び、通電するブロックを切り替えるスイッチ回路等により構成され、電池の装着の有無、電池の種類及び電池残量の検出を行う。また、電源制御部１１７は、電池残量の検出結果及びシステム制御部１２１の指示に基づいてＤＣ−ＤＣコンバータを制御し、必要な電圧を必要な期間、記録媒体１２８を含む各部へ供給する。
電源部１１８は、アルカリ電池又はリチウム電池等の一次電池、ＮｉＣｄ電池やＮｉＭＨ電池又はＬｉ電池等の二次電池及びＡＣアダプター等からなる。
記録媒体Ｉ／Ｆ１２７は、メモリーカードやハードディスク等の記録媒体１２８とのインターフェースである。
記録媒体１２８は、撮像された画像を記録するためのメモリーカード等の記録媒体であり、半導体メモリや磁気ディスク等から構成される。
音声出力部１２５は、ユーザに対して音声データを出力でき、種々の情報をユーザに知らせることができる。
発光部１２６は、被写体に対しての発光を行う。
【００１４】
通信Ｉ／Ｆ１１０は、ネットワーク１１２等を介して、外部機器とファイルやコマンド等の各種データの送受信を行うためのインターフェースである。通信Ｉ／Ｆ１１０には、無線ＬＡＮやＢｌｕｅｔｏｏｔｈ（登録商標）等の無線インターフェースが用いられる。
なお、デジタルカメラ１００は、システム制御部１２１、電源制御部１１７及び電源部１１８を複数備えてもよい。
また、本実施形態におけるデジタルカメラ１００は、後述する携帯電話２００からのリモート制御で動作することが可能であり、リモート制御専用の機器としてもよい。この場合、デジタルカメラ１００は撮像に必要な構成を最低限有していればよい。例えば、撮像した画像データはすべて後述する携帯電話２００に送信するようにしてもよい。この場合は記録媒体Ｉ／Ｆ１２７、記録媒体１２８は必ずしも必要ではない。また、デジタルカメラの操作は携帯電話２００からのリモート制御のみで可能としてもよい。この場合は操作部１１３、シャッターボタン１１４、モード切替スイッチ１１５は必ずしも必要ではない。また、各種メニューや撮像された画像は、携帯電話２００で表示するようにしてもよい。この場合、表示部１０７は必ずしも必要ではない。
【００１５】
（携帯電話２００の構成）
次に、通信装置の一例である携帯電話２００を構成する各部について、図２を参照して説明する。図２は携帯電話２００の構成を示すブロック図である。
なお、ここでは通信装置の一例として携帯電話２００について述べるが、通信装置は携帯電話２００に限られない。例えば通信装置として、携帯型のメディアプレーヤやいわゆるタブレットデバイス、パーソナルコンピュータ、スマートフォン等の情報処理装置が使われてもよい。
また、携帯電話２００は、対応するアプリケーションをインストールすることで、種々の機能を実行することができるものとする。携帯電話２００には、種々のカメラ機能を実現するためのカメラアプリケーションがインストールされている。カメラアプリケーションは携帯電話２００の出荷時点で予めインストールされていてもよいし、ユーザの操作によりインストールされてもよい。
【００１６】
フロントカメラ２４０は、表示部２０７が配置される側の携帯電話２００の面に取り付けられ、携帯電話２００のユーザが自分の顔を撮像するとき等に使われる。フロントカメラ２４０は、バリア２０１、撮像レンズ２０２、シャッター２０３及び撮像部２０４を備える。
リアカメラ２４１は、表示部２０７が配置される携帯電話２００の面の反対面に取り付けられ、携帯電話２００のユーザが外部の被写体を撮像するとき等に使われる。リアカメラ２４１は、バリア２３１、撮像レンズ２３２、シャッター２３３及び撮像部２３４を備える。
撮像レンズ２０２及び２３２は、ズームレンズ、フォーカスレンズを含むレンズ群である。
シャッター２０３及び２３３は、絞り機能を備えるシャッターである。
撮像部２０４及び２３４は、光学像を電気信号に変換する撮像素子であり、ＣＣＤやＣＭＯＳ素子等で構成される。
フロントカメラ２４０のバリア２０１は、撮像レンズ２０２、シャッター２０３及び撮像部２０４を含むフロントカメラ２４０の撮像系を覆うことにより、フロントカメラ２４０の撮像系の汚れや破損を防止する。同様にリアカメラ２４１のバリア２３１は、撮像レンズ２３２、シャッター２３３及び撮像部２３４を含むリアカメラ２４１の撮像系を覆うことにより、リアカメラ２４１の撮像系の汚れや破損を防止する。
【００１７】
Ａ／Ｄ変換器２０５は、アナログ信号をデジタル信号に変換する。Ａ／Ｄ変換器２０５は、撮像部２０４又は２３４から出力されるアナログ信号をデジタル信号に変換するために用いられる。
画像処理部２１１は、Ａ／Ｄ変換器２０５からのデータ、又は、メモリ制御部２０８からのデータに対し所定の画素補間、縮小といったリサイズ処理や色変換処理を行う。また、画像処理部２１１は、撮像した画像データを用いて所定の演算処理を行い、得られた演算結果に基づいてシステム制御部２２１が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２１１は更に、撮像した画像データを用いて所定の演算処理を行い、得られた演算結果に基づいてＴＴＬ方式のＡＷＢ（オートホワイトバランス）処理も行う。
【００１８】
Ａ／Ｄ変換器２０５からの出力データは、画像処理部２１１及びメモリ制御部２０８を介して、又は、メモリ制御部２０８を介してメモリ２０９に直接書き込まれる。
メモリ２０９は、撮像部２０４又は２３４によって得られ、Ａ／Ｄ変換器２０５によりデジタルデータに変換された画像データや、表示部２０７に表示するための画像データを格納する。メモリ２０９は、所定枚数の静止画像、所定時間の動画像及び音声を格納するのに十分な記憶容量を備えている。
また、メモリ２０９は画像表示用のメモリ（ビデオメモリ）を兼ねている。Ｄ／Ａ変換器２０６は、メモリ２０９に格納されている画像表示用のデータをアナログ信号に変換して表示部２０７に供給する。こうして、メモリ２０９に書き込まれた表示用の画像データは、Ｄ／Ａ変換器２０６を介して表示部２０７により表示される。
表示部２０７は、ＬＣＤ等の表示器上に、Ｄ／Ａ変換器２０６からのアナログ信号に応じた表示を行う。表示部２０７は、電子ビューファインダとして機能させることができ、スルー画像表示を行える。表示部２０７を電子ビューファインダとして機能させるために、Ａ／Ｄ変換器２０５が一度Ａ／Ｄ変換してメモリ２０９に蓄積されたデジタル信号を、Ｄ／Ａ変換器２０６がアナログ変換し、表示部２０７に逐次転送して表示部２０７に表示させる。
【００１９】
不揮発性メモリ２２４は、電気的に消去・記録可能なメモリであり、例えばＥＥＰＲＯＭ等が用いられる。不揮発性メモリ２２４には、システム制御部２２１の動作用の定数、プログラム等が記憶される。ここに記憶されるプログラムは、本実施形態にて後述する各種フローチャートを実行するためのプログラムを含み、上述したカメラアプリケーションもこの不揮発性メモリ２２４に記憶される。
システム制御部２２１は、携帯電話２００全体を制御する。上述した不揮発性メモリ２２４に記録されたプログラムを実行することで、後述する本実施形態の各処理を実現する。また、システム制御部２２１はメモリ２０９、Ｄ／Ａ変換器２０６、表示部２０７等を制御することにより表示制御を行う。
システムメモリ２２３には、ＲＡＭが用いられる。システムメモリ２２３には、システム制御部２２１の動作用の定数、変数、不揮発性メモリ２２４から読み出したプログラム等を展開する。
システムタイマー２２２は、内蔵された時計を参照して各種制御に用いる時間等を計測する計時部である。
【００２０】
操作部２１３はシステム制御部２２１に各種の動作指示を入力するための操作手段であり、表示部２０７の全面に配置されたタッチパネルと、表示部２０７に表示される操作表示とを備える。タッチパネルには、抵抗膜方式や静電容量方式、表面弾性波方式、赤外線方式、電磁誘導方式、画像認識方式、光センサ方式等、様々な方式のうち、どの方式を用いてもよい。操作表示は、ユーザが操作をするための表示であり、例えば、終了ボタン、戻るボタン、画像送りボタン、ジャンプボタン、絞込みボタン、属性変更ボタン、メニューボタン等がある。システム制御部２２１は、操作表示へのユーザのタッチを検知することで、操作表示に応じた処理を行う。例えば、システム制御部２２１は、メニューボタンがタッチされると各種の設定可能なメニュー画面を表示部２０７に表示する。
【００２１】
モード切替スイッチ２１５は、携帯電話２００で撮像する際の動作モードを静止画記録モード又は動画記録モード等のいずれかに切り替えるためのスイッチである。
電源スイッチ２１６は、携帯電話２００の電源を入れたり切ったりするためのスイッチである。
電源制御部２１７は、電池検出回路、ＤＣ−ＤＣコンバータ、及び、通電するブロックを切り替えるスイッチ回路等により構成され、電池の装着の有無、電池の種類、電池残量の検出を行う。また、電源制御部２１７は、電池残量の検出結果及びシステム制御部２２１の指示に基づいてＤＣ−ＤＣコンバータを制御し、必要な電圧を必要な期間、記録媒体２２８を含む各部へ供給する。
電源部２１８は、アルカリ電池やリチウム電池等の一次電池やＮｉＣｄ電池やＮｉＭＨ電池、Ｌｉ電池等の二次電池、ＡＣアダプター等からなる。
記録媒体Ｉ／Ｆ２２７は、メモリーカードやハードディスク等の記録媒体２２８とのインターフェースである。記録媒体２２８は、撮像された画像を記録するためのメモリーカード等の記録媒体であり、半導体メモリや磁気ディスク等から構成される。
音声出力部２２５及び音声入力部２２９は、それぞれ、ユーザへの音声の出力及びユーザから音声の入力を行い、ユーザが携帯電話２００を用いて通話することを可能にする。
発光部２２６は被写体に対しての発光を行う。
通信Ｉ／Ｆ２１０は、電話回線を介し音声データを送受信することで遠隔地との通話が可能となる。また、通信Ｉ／Ｆ２１０は、ネットワーク１１２等を介して、外部機器とファイルやコマンド等の各種データの送受信を行うためのインターフェースにも用いられる。通信Ｉ／Ｆ２１０には、無線ＬＡＮやＢｌｕｅｔｏｏｔｈ等の無線インターフェースが用いられる。
【００２２】
（タッチパネル操作）
次に、携帯電話２００の操作部２１３が備えるタッチパネルの操作について説明する。
システム制御部２２１は、タッチパネルへの以下の操作を検出できる。まず、指やペンでタッチパネルを触れたこと（以下、タッチダウンと称する）である。次に、指やペンでタッチパネルを触れている状態であること（以下、タッチオンと称する）である。次に、指やペンでタッチパネルを触れたまま、指やペンを移動していること（以下、スライドと称する）である。次に、タッチパネルに触れていた指やペンをタッチパネルから離したこと（以下、タッチアップと称する）である。次に、指やペンがタッチパネルに触れていない状態であること（以下、タッチオフと称する）である。
これらの操作や、指やペンが触れているタッチパネルの位置座標は、操作部２１３からシステム制御部２２１に通知される。システム制御部２２１は通知された情報に基づいてタッチパネルにどのような操作が行なわれたかを判定する。
システム制御部２２１は、タッチダウンされてからスライドされずに所定時間内にタッチアップされたとき、タップが行われたと判断する。タップは、一瞬だけタッチパネルをタッチする操作であり、項目の指定やボタンの押下等のように、マウスでいうクリックと同等の操作として用いられることが多い。
【００２３】
（ユースケース）
次に、デジタルカメラ１００と携帯電話２００とを備える撮像システムのユースケースについて、図３を参照して説明する。
図３（ａ）は、デジタルカメラ１００が携帯電話２００に装着されていない状態でのユースケースを示す図であり、携帯電話２００を所持するユーザがデジタルカメラ１００から離れた場所に位置して動物等を撮影するときの例である。なお、デジタルカメラ１００が携帯電話２００に装着されていない状態の他のユースケースとして、従来デジタルカメラのセルフタイマー機能で行われていた記念撮影等がある。
ユーザの所持する携帯電話２００の表示部２０７には、デジタルカメラ１００の撮像部１０４がとらえる被写体３０１が表示される。ユーザは、携帯電話２００を操作し、携帯電話２００からデジタルカメラ１００に撮像指示を送信して、被写体３０１を撮像する。
携帯電話２００とデジタルカメラ１００との通信は、携帯電話２００の通信Ｉ／Ｆ２１０及びデジタルカメラ１００の通信Ｉ／Ｆ１１０を介して行われる。
【００２４】
図３（ｂ）は、デジタルカメラ１００を携帯電話２００に装着した状態でのユースケースを示す図である。このユースケースでは、ユーザは、高機能なレンズ、センサ、画像処理ユニット等を含むデジタルカメラ１００を携帯電話２００に装着し、携帯電話２００の表示などを見ながら、デジタルカメラ１００や携帯電話２００を操作する。ユーザは携帯電話２００とデジタルカメラ１００とを一台のデジタルカメラ（以下、デジタルカメラ３０２とする）のように使用し、被写体３０１を撮影できる。
図３（ｂ）のユースケースでは、図３（ａ）と同様に、ユーザの所持する携帯電話２００の表示部２０７には、デジタルカメラ１００の撮像部１０４がとらえる被写体３０１が表示される。ユーザは、携帯電話２００を操作し、携帯電話２００からデジタルカメラ１００に撮像指示を送信して、被写体３０１を撮像する。携帯電話２００とデジタルカメラ１００との通信は、携帯電話２００の通信Ｉ／Ｆ２１０及びデジタルカメラ１００の通信Ｉ／Ｆ１１０を介して行われる。
【００２５】
ユーザは、図３（ｂ）のようなユースケースで被写体３０１を撮影した後、図３（ｃ）に示すように、デジタルカメラ３０２の電源を切り、ショルダーバッグ３０３に入れることが想定される。デジタルカメラ１００の電源を切ると、デジタルカメラ１００と携帯電話２００との間では無線通信が切断する。その後、ユーザがシャッターチャンスを見つけて、図３（ｄ）に示すように、ユーザがショルダーバッグ３０３からデジタルカメラ３０２を取り出し、被写体３０４の撮影を試みるとする。この場合、デジタルカメラ１００と携帯電話２００との無線通信が切断されているため、再度の無線通信の確立に時間がかかり、撮影の機会を逃してしまう可能性がある。
すなわち、デジタルカメラ１００と携帯電話２００とを一台のデジタルカメラ３０２として使用している場合、デジタルカメラ１００の電源を切ると、無線通信機能も停止するため、携帯電話２００との無線通信が切断してしまう。また、デジタルカメラ１００の電源を再度入れたとしても、すぐには携帯電話２００との無線通信を確立することができない。毎回無線通信を切断することは、デジタルカメラ１００、および携帯電話２００にとって消費電力の観点で有効だが、頻繁に撮影を行うユーザにとっては、撮影機会を逃してしまうおそれがある。
そこで、本実施形態では、デジタルカメラ１００が携帯電話２００に装着されている間は、デジタルカメラ１００の電源スイッチ１１６を押下した場合であっても無線通信を維持できるようにする。具体的には、デジタルカメラ１００の動作状態に、低消費電力状態を設ける。低消費電力状態では、デジタルカメラ１００は通信Ｉ／Ｆ１１０による携帯電話２００との通信を維持し、かつ、デジタルカメラ１００の消費電力は後述する稼働状態よりも少ない。なお、以降では低消費電力状態をスリープ状態と呼ぶ。また、スリープ状態の詳細は後述する。
【００２６】
（デジタルカメラ１００の装着状態の検知）
次に、デジタルカメラ１００が携帯電話２００に装着されているか否かの判定方法について、図４を参照して説明する。図４は、デジタルカメラ１００を携帯電話２００へ装着する際の断面図である。
デジタルカメラ１００を携帯電話２００へ装着するために、デジタルカメラ１００は装着部４０２を有する。装着部４０２は携帯電話２００の大きさに合わせて自由に長さを変えることが可能である。装着部４０２に携帯電話２００が例えば嵌め込まれることで、デジタルカメラ１００が携帯電話２００に装着される。なお、デジタルカメラ１００は、後述するスイッチ４０１等で検知可能な範囲で、携帯電話２００の任意の位置に装着できる。
【００２７】
デジタルカメラ１００は、デジタルカメラ１００が携帯電話２００に装着されているか否か、すなわちデジタルカメラ１００の装着状態を検知するため、機械的なスイッチ４０１を備える。
デジタルカメラ１００が携帯電話２００に装着された状態（以下、装着済状態と呼ぶ）では、スイッチ４０１が押し込まれている。デジタルカメラ１００のシステム制御部１２１は、スイッチ４０１が押し込まれた状態のとき装着済状態であると判断する。一方、デジタルカメラ１００が携帯電話２００から取り外された状態（以下、未装着状態と呼ぶ）では、押し込まれていたスイッチ４０１が、図４に示すような押し込まれる前の位置まで飛び出す。デジタルカメラ１００のシステム制御部１２１は、スイッチ４０１が飛び出した状態のとき、未装着状態であると判断する。
【００２８】
デジタルカメラ１００の装着状態の検知は、次の例のように行われてもよい。
第１の例では、デジタルカメラ１００は、接非接触通信（Ｎｅａｒ  Ｆｉｅｌｄ  Ｃｏｍｍｕｎｉｃａｔｉｏｎ：ＮＦＣ）インターフェースを利用して携帯電話２００とデジタルカメラ１００との接触を検出して装着状態を検知する。デジタルカメラ１００は、携帯電話２００の接触を検出したときは、装着済状態と判断する。デジタルカメラ１００は、携帯電話２００の接触を検出しないときは、未装着状態と判断する。
【００２９】
第２の例では、デジタルカメラ１００は、無線通信の受信信号強度から装着状態を検知する。例えば、デジタルカメラ１００の通信Ｉ／Ｆ１１０は、Ｂｌｕｅｔｏｏｔｈや無線ＬＡＮ等の無線通信が可能なインターフェースであり、携帯電話２００との無線通信が可能である。デジタルカメラ１００のシステム制御部１２１は、通信Ｉ／Ｆ１１０を介して携帯電話２００から受信した無線通信の信号強度から、携帯電話２００とデジタルカメラ１００との距離を算出する。デジタルカメラ１００のシステム制御部１２１は、算出した距離が所定の閾値以下のとき装着済状態であると判断し、算出した距離が所定の閾値より大きいとき未装着状態であると判断する。
なお、第１の例と第２の例の装着状態の検知は、携帯電話２００が行ってもよい。携帯電話２００による検知の結果は、デジタルカメラ１００に送信される。
【００３０】
第３の例では、携帯電話２００は、リアカメラ２４１の映像を解析して装着状態を検知し、検知結果をデジタルカメラ１００に送信する。
例えば、デジタルカメラ１００が携帯電話２００に装着されると、装着される場所によっては、携帯電話２００のリアカメラ２４１がデジタルカメラ１００に塞がれる。また、デジタルカメラ１００が携帯電話２００に装着された状態でユーザが撮像しようとすると、ユーザが携帯電話２００をグリップとして使用する際に、ユーザの手がリアカメラ２４１を塞ぐことがある。そこで、携帯電話２００のシステム制御部２２１は、リアカメラ２４１の映像が遮断されたとき、装着済状態であると判断する。
また、デジタルカメラ１００が携帯電話２００に装着されると、携帯電話２００のリアカメラ２４１にデジタルカメラ１００が映ることがある。そこで、携帯電話２００のシステム制御部２２１は、リアカメラ２４１の映像にデジタルカメラ１００が映っているとき装着済状態であると判断する。
【００３１】
第４の例では、デジタルカメラ１００は、携帯電話２００のリアカメラ２４１の映像及びデジタルカメラ１００の映像を解析して、同じ被写体を捉えているか否かによって装着状態を検知する。
例えば、デジタルカメラ１００のシステム制御部１２１は、通信Ｉ／Ｆ１１０を介して、携帯電話２００からリアカメラ２４１の映像を受信する。そして、デジタルカメラ１００のシステム制御部１２１は、受信したリアカメラ２４１の映像と、デジタルカメラ１００が撮像部１０４に捉えた映像とを比較する。デジタルカメラ１００のシステム制御部１２１は、両者が同じ被写体を捉えた映像であると判定したとき、装着済状態であると判断する。デジタルカメラ１００のシステム制御部１２１は、両者が異なる被写体を捉えた映像であると判定したとき、未装着状態であると判断する。
なお、第４の例の装着状態の検知は、携帯電話２００で行ってもよい。このとき、デジタルカメラ１００が捉えた映像は携帯電話２００に送信される。携帯電話２００は、送信された映像とリアカメラ２４１の映像とを比較して装着状態の検知し、検知結果をデジタルカメラ１００に送信する。
【００３２】
（デジタルカメラ１００の動作状態の遷移）
次に、デジタルカメラ１００の動作状態の遷移について、図５を参照して説明する。図５は、デジタルカメラ１００の動作状態の遷移図である。なお、図５の各動作状態は、デジタルカメラ１００が携帯電話２００に装着された装着済状態であるものとする。
デジタルカメラ１００は、稼働状態５０１、スリープ状態５０２及び停止状態５０３という３つの動作状態を有する。
稼働状態５０１は、デジタルカメラ１００のシステム制御部１２１が、撮像部１０４、操作部１１３及び通信Ｉ／Ｆ１１０等に対して稼働する状態である。すなわち、稼働状態５０１は、デジタルカメラ１００の撮像機能及び通信機能が稼働する状態である。したがって、稼働状態５０１では、撮像部１０４による撮像、及び、通信Ｉ／Ｆ１１０によるデータの通信が可能である。
スリープ状態５０２は、デジタルカメラ１００の撮像部１０４には電力が供給されず、デジタルカメラ１００による撮影は行えない状態である。同時に、スリープ状態５０２は、デジタルカメラ１００の通信Ｉ／Ｆ１１０及びシステム制御部１２１等には電力が供給され、デジタルカメラ１００は無線通信が可能な状態である。すなわち、スリープ状態５０２は、デジタルカメラ１００の撮像機能が停止し、通信機能が稼働する状態である。したがって、スリープ状態５０２では、通信Ｉ／Ｆ１１０による携帯電話２００との通信を維持し、かつ、デジタルカメラ１００の消費電力は稼働状態５０１よりも少ない。
デジタルカメラ１００が稼働状態５０１であり携帯電話２００との無線通信が確立しているときは、稼働状態５０１からスリープ状態５０２へ遷移しても無線通信は切断されずに維持される。また、デジタルカメラ１００がスリープ状態５０２のときは、消費電力を考慮して、無線通信の電波強度を落とす。このため、スリープ状態５０２での通信Ｉ／Ｆ１１０の消費電力は、稼働状態５０１での消費電力と比べて小さくなる。ただし、スリープ状態５０２の無線通信の電波強度を落とさなくてもよい。この場合であっても、スリープ状態５０２では、撮像部１０４等には電力が供給されないため、稼働状態５０１と比べて、デジタルカメラ１００全体の消費電力は小さくなる。なお、稼働状態５０１からスリープ状態５０２に移行する際には、より消費電力の少ない通信方式に切り替えてもよい。例えば無線ＬＡＮやＢｌｕｅｔｏｏｔｈの高速通信モードから、Ｂｌｕｅｔｏｏｔｈ  Ｌｏｗ  Ｅｎｅｒｇｙでの通信に切り替えることが考えられる。
停止状態５０３は、撮像部１０４及び通信Ｉ／Ｆ１１０に電力が供給されず、デジタルカメラ１００による撮影及び無線通信が行えない状態である。すなわち、デジタルカメラ１００の撮像機能及び通信機能が停止した状態である。したがって、停止状態５０３では、撮像部１０４による撮像、及び、通信Ｉ／Ｆ１１０によるデータの通信ができない。
【００３３】
上述の３つの動作状態は、電源スイッチ１１６の押下、装着状態の変化、又は、一定時間の経過によって遷移する。
図５に示すように、デジタルカメラ１００の動作状態が稼働状態５０１のときに電源スイッチ１１６が押下されると、動作状態はスリープ状態５０２へ遷移する。また、稼働状態５０１のときに電源スイッチ１１６が所定時間押下（以下、長押しと呼ぶ）されると停止状態５０３へ遷移する。電源スイッチ１１６が押下されたか長押しされたかの判定は、システム制御部１２１が行う。
【００３４】
デジタルカメラ１００の動作状態がスリープ状態５０２のときに電源スイッチ１１６が押下されると、動作状態は稼働状態５０１へ遷移する。また、スリープ状態５０２のときに電源スイッチ１１６が長押しされると停止状態５０３へ遷移する。スリープ状態５０２では、装着状態の変化によっても動作状態が遷移する。スリープ状態５０２のときに装着済状態から未装着状態へ変化したことをシステム制御部１２１が検知すると、動作状態は停止状態５０３へ遷移する。また、スリープ状態５０２で一定時間経過するとスリープ状態のタイムアウト（以下、スリープタイムアウトと呼ぶ。）になり、動作状態は停止状態５０３へ遷移する。このタイムアウト時間はシステムタイマー１２２が監視する。タイムアウト時間は、デジタルカメラ１００又は携帯電話２００から、ユーザが任意に設定できるようにしてもよい。
デジタルカメラ１００の動作状態が停止状態５０３のときに電源スイッチ１１６が押下又は長押しされると、動作状態は稼働状態５０１へ遷移する。
【００３５】
図５の各動作状態は、デジタルカメラ１００が携帯電話２００に装着された装着済状態であるものとした。デジタルカメラ１００が携帯電話２００から取り外された未装着状態でのデジタルカメラ１００の動作状態遷移は、稼働状態５０１と停止状態５０３との間の遷移のみである。これらの状態遷移は、電源スイッチ１１６の押下、長押しを区別せず、電源スイッチ１１６が押下されたときに行われる。
【００３６】
（デジタルカメラ１００の動作）
次に、デジタルカメラ１００の電源スイッチ１１６が押下又は長押しされたときのデジタルカメラ１００の動作について、図６を参照して説明する。図６は、デジタルカメラ１００の電源スイッチ１１６が押下又は長押しされた時点からのデジタルカメラ１００の動作を示すフローチャートである。
ステップＳ６０１では、システム制御部１２１は、デジタルカメラ１００の動作状態が稼働状態５０１であるか否かを判断する。システム制御部１２１は、稼働状態５０１であると判断した場合、ステップＳ６０２へ処理を進める。一方、システム制御部１２１は、稼働状態５０１でないと判断した場合、ステップＳ６０６へ処理を進める。
ステップＳ６０２では、システム制御部１２１は、デジタルカメラ１００の電源スイッチ１１６が、所定時間であるｔ秒以上押下されたか否かを判断する。システム制御部１２１は、電源スイッチ１１６の押下がｔ秒以上と判断した場合、デジタルカメラ１００の動作状態を停止状態５０３に遷移させるという判定をしたことになり、ステップＳ６０４へ処理を進める。一方、システム制御部１２１は、電源スイッチ１１６の押下がｔ秒未満と判断した場合、ステップＳ６０３へ処理を進める。
なお、ｔ秒は、電源スイッチ１１６の長押しと押下との判別に用いられる時間であり、電源スイッチ１１６の押下がｔ秒以上のときは長押しであり、ｔ秒未満のときは長押しではなく押下である。このｔ秒は適宜決定される。後述するステップＳ６０７のｔ秒も、ステップＳ６０２のｔ秒と同様の役割をもつ。
【００３７】
ステップＳ６０３では、システム制御部１２１は、デジタルカメラ１００が携帯電話２００に装着された状態か否か、すなわち装着済状態か否かを判断する。システム制御部１２１は、装着済状態と判断した場合、デジタルカメラ１００の動作状態をスリープ状態５０２に遷移させるという判定をしたことになり、ステップＳ６０５へ処理を進める。一方、システム制御部１２１は、未装着状態と判断した場合、デジタルカメラ１００の動作状態を停止状態５０３に遷移させるという判定をしたことになり、ステップＳ６０４へ処理を進める。なお、デジタルカメラ１００が携帯電話２００に装着されているか否かを判断は、上述したデジタルカメラ１００の装着状態の検知方法で行われる。
ステップＳ６０４では、システム制御部１２１は、通信Ｉ／Ｆ１１０への電力の供給を停止し、デジタルカメラ１００の通信機能を停止させて、ステップＳ６０５へ処理を進める。
ステップＳ６０５では、システム制御部１２１は、撮像部１０４への電力の供給を停止し、デジタルカメラ１００の撮像機能を停止させる。ステップＳ６０５では、システム制御部１２１が、デジタルカメラ１００の撮像レンズ１０２を格納する処理を行ってもよい。
なお、ステップＳ６０３及びＳ６０５の順に処理されたとき、デジタルカメラ１００の撮像機能は停止した状態であり、通信機能は稼働する状態であるため、動作状態はスリープ状態５０２である。ステップＳ６０３、ステップＳ６０４及びステップＳ６０５の順に処理されたとき、デジタルカメラ１００の撮像機能及び通信機能は停止した状態であるため、動作状態は停止状態５０３である。
【００３８】
ステップＳ６０６では、システム制御部１２１は、デジタルカメラ１００の動作状態がスリープ状態５０２であるか否かを判断する。システム制御部１２１がスリープ状態５０２であると判断した場合は、ステップＳ６０７へ処理を進める。一方、システム制御部１２１がスリープ状態５０２でないと判断した場合は、デジタルカメラ１００の動作状態を稼働状態５０１に遷移させるという判定をしたことになり、ステップＳ６０８へ処理を進める。
ステップＳ６０７では、システム制御部１２１は、デジタルカメラ１００の電源スイッチ１１６がｔ秒以上押下されたか否かを判断する。システム制御部１２１が、電源スイッチ１１６の押下がｔ秒以上と判断した場合は、デジタルカメラ１００の動作状態を停止状態５０３に遷移させるという判定をしたことになり、ステップＳ６０４へ処理を進める。一方、システム制御部１２１が、電源スイッチ１１６の押下がｔ秒未満と判断した場合は、デジタルカメラ１００の動作状態を稼働状態５０１に遷移させるという判定をしたことになり、ステップＳ６０９へ処理を進める。
ステップＳ６０８では、システム制御部１２１は、通信Ｉ／Ｆ１１０への電力の供給を開始し、デジタルカメラ１００の通信機能が稼働する状態にして、ステップＳ６０９へ処理を進める。
ステップＳ６０９では、システム制御部１２１は、撮像部１０４への電力の供給を開始し、デジタルカメラ１００の撮像機能を稼働する状態にする。
なお、ステップＳ６０９が処理されたとき、デジタルカメラ１００の撮像機能及び通信機能は稼働する状態であるため、デジタルカメラ１００の動作状態は稼働状態５０１である。また、ステップＳ６０９では、システム制御部１２１が、デジタルカメラ１００の撮像レンズ１０２を展開する処理を行ってもよい。
【００３９】
次に、デジタルカメラ１００が装着済状態であり、動作状態がスリープ状態５０２に遷移したときのデジタルカメラ１００の動作について、図７を参照して説明する。図７は、デジタルカメラ１００が装着済状態であり、動作状態がスリープ状態５０２に遷移した時点からのデジタルカメラ１００の動作を示すフローチャートである。
なお、デジタルカメラ１００が装着済状態であり、動作状態がスリープ状態５０２に遷移したときに、電源スイッチ１１６が押下された時の処理は、図６で説明したため、ここでは省略する。
ステップＳ７０１では、システム制御部１２１は、デジタルカメラ１００が携帯電話２００に装着されていない状態である未装着状態となったか否かを判断する。システム制御部１２１が未装着状態と判断した場合はステップＳ７０２へ処理を進める。
システム制御部１２１は、さらに、スリープ状態５０２で一定時間経過してスリープタイムアウトになったか否かを判断する。システム制御部１２１がスリープタイムアウトと判断した場合はステップＳ７０２へ処理を進める。
システム制御部１２１は、未装着状態ではなく、かつ、スリープタイムアウトではない、と判断した場合は、再度ステップＳ７０１へ処理を進める。
ステップＳ７０２では、システム制御部１２１は、通信Ｉ／Ｆ１１０への電力の供給を停止し、デジタルカメラ１００の通信機能を停止させる。なお、ステップＳ７０２が処理された時、デジタルカメラ１００の撮像機能及び通信機能は停止した状態であるため、動作状態は停止状態５０３である。
【００４０】
以上説明したとおり、本実施形態のデジタルカメラ１００は、撮像機能が停止し通信機能が稼働するスリープ状態５０２をもつ。したがって、デジタルカメラ１００の消費電力を抑えた上で、デジタルカメラ１００と携帯電話２００との通信を維持でき、撮影の機会を逃さないようにできる。
また、デジタルカメラ１００の動作状態は、図５に示すように、スリープ状態５０２のときに電源スイッチ１１６の押下により、稼働状態５０１に遷移する。このとき、デジタルカメラ１００の通信機能は、この遷移の前後で稼働中であり、デジタルカメラ１００と携帯電話２００との無線通信は確立した状態である。したがって、ユーザが撮影の機会を見つけてデジタルカメラ１００の動作状態をスリープ状態５０２から稼働状態５０１にしたとき、デジタルカメラ１００と携帯電話２００との無線通信の確立を待つ必要がなく、撮影の機会を逃さないようにできる。
また、ユーザは、図５に示すように、電源スイッチ１１６の操作によって、デジタルカメラ１００の動作状態を遷移させることができる。したがって、ユーザは、撮影の機会が訪れる可能性等に応じて、デジタルカメラ１００の動作状態を選択できる。例えば、ユーザは、撮影の機会がしばらくないと考えたときは停止状態５０３にする。こうして、撮影の機会を逃さないようにしたうえで、デジタルカメラ１００が必要以上に電力を消費することを回避できる。また、後述する携帯電話２００でデジタルカメラ１００の動作状態を遷移させる場合と異なり、デジタルカメラ１００の通信機能が停止していてもデジタルカメラ１００の動作状態を遷移させられる。
【００４１】
＜第２実施形態＞
（携帯電話２００のユーザインターフェース）
次に、第２実施形態のデジタルカメラ１００及び携帯電話２００について説明する。本実施形態では、デジタルカメラ１００側からの電源ボタン操作に加えて、携帯電話２００側からも電源に関する操作が可能な形態について説明する。なお、本実施形態における第１実施形態と同様の部分は、説明を省略又は簡略化する。
まず、本実施形態の携帯電話２００のユーザインターフェースについて、図８を参照して説明する。図８（ａ）は、本実施形態における携帯電話２００のカメラアプリケーション操作画面の例である。
図８（ａ）に示すように、携帯電話２００の表示部２０７には、デジタルカメラ１００との無線通信が確立すると、無線通信アイコン８０１が表示される。一方、デジタルカメラ１００との無線通信が切断すると、無線通信アイコン８０１は非表示となる。デジタルカメラ１００との無線通信が確立している場合、ユーザは、表示部２０７に表示されるシャッターボタン８０８を押下することで、撮影できる。
【００４２】
デジタルカメラ１００が携帯電話２００に装着されているとき、すなわち装着済状態のときは、表示部２０７に装着判定アイコン８０２が表示される。一方、装着されていないとき、すなわち未装着状態のときは、装着判定アイコン８０２は非表示となる。
デジタルカメラ１００が携帯電話２００に装着されているか否かの判断は、上述のデジタルカメラ１００の装着状態の検知方法で行われる。デジタルカメラ１００が装着状態の検知を行う場合、携帯電話２００は検知結果を通信Ｉ／Ｆ２１０を介してデジタルカメラ１００から受信する。
【００４３】
携帯電話２００の表示部２０７の領域８０３には、デジタルカメラ１００の動作状態が表示される。デジタルカメラ１００の動作状態が稼働状態５０１のときは領域８０３に稼働状態アイコン８０４が表示される。同様に、デジタルカメラ１００の動作状態がスリープ状態５０２のときはスリープ状態アイコン８０５が領域８０３に表示され、停止状態５０３のときは停止状態アイコン８０６が表示される。
携帯電話２００は、デジタルカメラ１００の動作状態を、例えば、上述した装着判定アイコン８０２の場合と同様に、無線ＬＡＮ通信、ＮＦＣ又はＢｌｕｅｔｏｏｔｈ等の近接通信を使用し、通信Ｉ／Ｆ２１０を介してデジタルカメラ１００から受信する。
なお、デジタルカメラ１００の動作状態が停止状態５０３のときは、デジタルカメラ１００の通信機能が停止しているため、携帯電話２００はデジタルカメラ１００から動作状態を受信できない。このため、携帯電話２００は、デジタルカメラ１００と無線通信できないときに、停止状態アイコン８０６を表示してもよい。また、携帯電話２００は、デジタルカメラ１００と無線通信できないときは、領域８０３にアイコンを表示しなくてもよい。このとき、停止状態アイコン８０６は使われないことになる。また、次に説明する図８（ｂ）に示すように、携帯電話２００の表示部２０７にメッセージ８０９を表示してもよい。
【００４４】
携帯電話２００の表示部２０７には、電源アイコン８０７が表示される。ユーザは、電源アイコン８０７をタップ、又は一定時間タップする長タップをすることで、無線通信を介してデジタルカメラ１００に動作状態の遷移を指示できる。したがって、ユーザは、電源アイコン８０７の操作により、第１実施形態で説明した電源スイッチ１１６と同様に、デジタルカメラ１００の動作状態を制御できる。
例えば、デジタルカメラ１００が稼働状態５０１のときにユーザが電源アイコン８０７をタップすると、携帯電話２００は、無線通信によって命令を送信し、デジタルカメラの動作状態をスリープ状態５０２に遷移させる。同様に、デジタルカメラ１００が稼働状態５０１のときにユーザが電源アイコン８０７を長タップすると、携帯電話２００は、無線通信によって命令を送信し、デジタルカメラの動作状態を停止状態５０３に遷移させる。
また、デジタルカメラ１００がスリープ状態５０２のときも同様に、ユーザが電源アイコン８０７をタップ又は長タップすると、携帯電話２００は、無線通信によって命令を送信し、デジタルカメラの動作状態を稼働状態５０１又は停止状態５０３に遷移させる。
【００４５】
ただし、デジタルカメラ１００が停止状態５０３のときは、デジタルカメラ１００の通信機能が停止しているため、携帯電話２００から無線通信によってデジタルカメラ１００の動作状態を遷移させることはできない。
携帯電話２００からデジタルカメラ１００に命令を送信してデジタルカメラ１００の動作状態を停止状態５０３に遷移させたときは、携帯電話２００は、デジタルカメラ１００を稼働状態５０１にするようにユーザを促す画面を表示してもよい。この例を図８（ｂ）に示す。図８（ｂ）の例では、メッセージ８０９によって、デジタルカメラ１００を稼働状態５０１にさせるようにユーザに操作を促す。
【００４６】
（携帯電話２００の動作）
次に、携帯電話２００の動作について、図９を参照して説明する。図９は、携帯電話２００の電源アイコン８０７がタップ又は長タップされた時点からの携帯電話２００の動作を示すフローチャートである。なお、携帯電話２００は、デジタルカメラ１００の装着状態及び動作状態を、デジタルカメラ１００から、通信Ｉ／Ｆ２１０を介して受信する。
ステップＳ９０１では、携帯電話２００のシステム制御部２２１は、通信Ｉ／Ｆ２１０を介して、デジタルカメラ１００から動作状態を受信する。動作状態が稼働状態５０１である場合は、システム制御部２２１はステップＳ９０２へ処理を進める。一方、動作状態が稼働状態５０１でない場合は、システム制御部２２１はステップＳ９０７へ処理を進める。
ステップＳ９０２では、システム制御部２２１は、図８（ａ）に示される電源アイコン８０７がｔ秒以上タップされたか否かを判断する。システム制御部２２１は、電源アイコン８０７のタップがｔ秒以上と判断した場合、デジタルカメラ１００の動作状態を停止状態５０３に遷移させるという判定をしたことになり、ステップＳ９０４へ処理を進める。一方、システム制御部２２１は、電源アイコン８０７のタップがｔ秒未満と判断した場合、ステップＳ９０３へ処理を進める。
なお、ｔ秒は、電源アイコン８０７のタップと長タップとの判別に用いられる時間であり、電源アイコン８０７のタップがｔ秒以上のときは長タップであり、ｔ秒未満のときは長タップではなくタップである。このｔ秒は適宜決定される。後述するステップＳ９０７のｔ秒も、ステップＳ９０２のｔ秒と同様の役割をもつ。
【００４７】
ステップＳ９０３では、システム制御部２２１は、通信Ｉ／Ｆ２１０を介して、デジタルカメラ１００から装着状態を受信する。デジタルカメラ１００が装着済状態である場合、システム制御部２２１は、デジタルカメラ１００の動作状態をスリープ状態５０２に遷移させるという判定をしたことになり、ステップＳ９０６へ処理を進める。一方、未装着装着である場合、システム制御部２２１は、デジタルカメラ１００の動作状態を停止状態５０３に遷移させるという判定をしたことになり、ステップＳ９０４へ処理を進める。
ステップＳ９０４では、システム制御部２２１は、通信Ｉ／Ｆ２１０を介してデジタルカメラ１００へ撮像機能停止命令を送信する。撮像機能停止命令を受信したデジタルカメラ１００は、命令に応じて撮像機能を停止する。
ステップＳ９０５では、システム制御部２２１は、通信Ｉ／Ｆ２１０を介してデジタルカメラ１００へ通信機能停止命令を送信する。通信機能停止命令を受信したデジタルカメラ１００は、命令に応じて通信機能を停止する。ステップＳ９０５の命令送信により、デジタルカメラ１００の動作状態は、撮像機能及び通信機能が停止する停止状態５０３になる。
ステップＳ９０６では、システム制御部２２１は、通信Ｉ／Ｆ２１０を介してデジタルカメラ１００へ撮像機能停止命令を送信する。撮像機能停止命令を受信したデジタルカメラ１００は、命令に応じて撮像機能を停止する。ステップＳ９０６の命令送信により、デジタルカメラ１００の動作状態は、撮像機能が停止し通信機能が稼働するスリープ状態５０２になる。
【００４８】
次にステップＳ９０７について説明する。図９に示す携帯電話２００の動作は、通信機能停止命令を送信した場合を除き、デジタルカメラ１００の通信機能が稼働していることを前提とする。また、ステップＳ９０７が処理されるのは、ステップＳ９０１でデジタルカメラ１００が稼働状態５０１ではないと判断されたときである。したがって、ステップＳ９０７では、デジタルカメラ１００の動作状態はスリープ状態５０２である。
ステップＳ９０７では、システム制御部２２１は、電源アイコン８０７がｔ秒以上タップされたか否かを判断する。システム制御部２２１は、電源アイコン８０７のタップがｔ秒以上と判断した場合、デジタルカメラ１００の動作状態を停止状態５０３に遷移させるという判定をしたことになり、ステップＳ９０４へ処理を進める。一方、システム制御部２２１は、電源アイコン８０７のタップがｔ秒未満と判断した場合、デジタルカメラ１００の動作状態を稼働状態５０１に遷移させるという判定をしたことになり、ステップＳ９０９へ処理を進める。
ステップＳ９０９では、システム制御部２２１は、通信Ｉ／Ｆ２１０を介してデジタルカメラ１００へ撮像機能稼働命令を送信する。撮像機能稼働命令を受信したデジタルカメラ１００は、命令に応じて撮像機能を稼働する。ステップＳ９０９の命令送信により、デジタルカメラ１００の動作状態は、撮像機能及び通信機能が稼働する稼働状態５０１になる。
なお、デジタルカメラ１００は、通信機能停止命令、撮像機能稼働命令及び撮像機能停止命令を１つ又は２つ受信することで、動作状態を遷移させる。したがって、通信機能停止命令、撮像機能稼働命令及び撮像機能停止命令の１つ又は２つは、デジタルカメラ１００の動作状態を遷移させる命令といえる。
【００４９】
以上説明したとおり、本実施形態では、ユーザが携帯電話２００を操作することで、デジタルカメラ１００の動作状態を遷移させられる。したがって、ユーザは、デジタルカメラ１００と携帯電話２００とで構成される撮像システム全体として１台のデジタルカメラのように操作でき、操作性が向上する。
また、本実施形態のデジタルカメラ１００は、第１実施形態のデジタルカメラ１００と同様に、デジタルカメラ１００の消費電力を抑えた上で、デジタルカメラ１００と携帯電話２００との通信を維持でき、撮影の機会を逃さないようにできる。また、ユーザが撮影の機会を見つけてデジタルカメラ１００の動作状態をスリープ状態５０２から稼働状態５０１にしたとき、デジタルカメラ１００と携帯電話２００との無線通信の確立を待つ必要がなく、撮影の機会を逃さないようにできる。また、デジタルカメラ１００が必要以上に電力を消費することを回避できる。
【００５０】
＜その他の実施形態＞
上述の実施形態では、２つの操作方法で、デジタルカメラ１００の動作状態を遷移させる。例えば第１実施形態におけるこの２つの操作方法は、電源スイッチ１１６の押下及び長押しである。しかし、デジタルカメラ１００の動作状態を遷移させる操作は、２つの操作方法に限定されず、例えば、図５に矢印で示すそれぞれの遷移毎に操作方法が異なってもよい。
上述の実施形態では、デジタルカメラ１００と携帯電話２００との通信は無線で行われる。しかし、デジタルカメラ１００の通信Ｉ／Ｆ１１０及び携帯電話２００の通信Ｉ／Ｆ２１０がＵＳＢ等の有線インターフェースであり、デジタルカメラ１００と携帯電話２００との通信が有線で行われてもよい。
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
以上、本発明を実施形態と共に説明したが、上述の実施形態は本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【図１】
0006486191.tif 000002
【図２】
0006486191.tif 000003
【図３】
0006486191.tif 000004
【図４】
0006486191.tif 000005
【図５】
0006486191.tif 000006
【図６】
0006486191.tif 000007
【図７】
0006486191.tif 000008
【図８】
0006486191.tif 000009
【図９】
0006486191.tif 000010